【事件の表示】
　特願２００３−１５６６９７「マルチパック用包装材」拒絶査定不服審判事件〔平成１６年１２月２４日出願公開、特開２００４−３５９２５６〕について、次のとおり審決する。
【結　論】
　本件審判の請求は、成り立たない。
【理　由】
１．手続の経緯 
　本願は、平成１５年６月２日の出願であって、平成２１年４月３０日付けで拒絶査定がなされ、これに対して、平成２１年８月２０日付けで拒絶査定不服審判の請求がなされるとともに、同日付けで手続補正がなされたものである。その後、当審において、平成２２年８月２７日付けで拒絶の理由が通知され、これに対して、平成２２年１０月２５日付けで意見書が提出されるとともに、同日付けで手続補正がなされたものである。
　
２．本願発明
　本願の特許請求の範囲の請求項１ないし７に係る発明は、平成２２年１０月２５日付け手続補正により補正された明細書及び図面の記載からみて、その特許請求の範囲の請求項１ないし７に記載されたとおりのものであると認められるところ、請求項１に係る発明（以下、「本願発明」という。）は、以下のとおりである。
「容器を複数個まとめて包装するマルチパック用包装材において、
　容器を包んだとき容器の底部を包む底パック部を中央部に有し、頂部を包む上パック部を両端部に有しかつ前記底パック部と各上パック部との間に容器の側部を包む側面パック部を有する全体として長方形のシート材から成り、
　前記シート材の一方の前記上パック部の端部には、所定幅を有する少なくとも一つの差込片が形成され、
　他方の前記上パック部に隣接する側面パック部には前記差込片を受ける切り込み部が形成され、
　前記差込片の先端部は、前記容器を包装した状態において前記側面パック部に沿って前記切り込み部に差し込まれており、
　前記差込片が形成された前記一方の上パック部には一対の把持用開口形成用の切り込み部が形成され、前記他方の上パック部には把持用開口が形成されており、
　前記一方の上パック部には前記切り込み部と前記包装材の縁部との間に仮止めタブ形成用の仮止めタブ切り込み部が形成され、前記他方の上パック部には前記把持用開口と縁部との間に仮止め開口が形成され、
　前記上パック部と側面パック部との境界領域に、前記容器を位置決めする３つの位置決め開口が形成され、
　相互に隣接する前記位置決め開口の間に前記差込片が覆い被さると共に、前記位置決め開口の端部近傍に前記差込片の幅方向の両縁部が位置していることを特徴とするマルチパック用包装材。」
　
３．引用発明
　これに対して、当審で通知した拒絶の理由に引用された、本願出願前に頒布された刊行物である特開平１０−３３８２６６号公報（以下、「引用例１」という。）及び実願昭６２−１２８２２５号（実開昭６４−１７９６８号）のマイクロフィルム（以下、「引用例２」という。）には、以下の各事項が記載されている。
　
【引用例１について】
（ア）「複数個の容器を並列にし得る底板を中心にして、その左右にそれぞれ側板と頂板とを連設し、かつ前記左右の頂板を前記複数個の容器の上部でラップさせると共に、ラップさせた２枚の頂板を互いにロック封緘する紙製マルチパック用シートにおいて、前記各頂板のそれぞれには、相対応するラップ位置に、手指を挿入しうる２個一対の相似形をした押し込み可能な舌片を形成させ、かつ当該シートの引き裂き強度を２００〜８００ｇｆ／枚とし、前記押し込み舌片を取っ手としたときの引っ張り強度を７ｋｇｆ以上とする特徴とする紙製マルチパック用シート。」（【特許請求の範囲】 【請求項１】）
　
（イ）「従来知られているボトムロック式マルチパックは、・・・一方、トップロック式マルチパックは、実開昭６０−８９１６２号公報に示されているように、頂板を構成する一方の紙にフィンガーホール用の押し込み舌片を設け、他方の紙にその押し込み舌片と係合しうる打ち抜き穴を設け、前記２枚の紙を重ね合わせて押し込み舌片を打ち抜き穴内に折り込んでフィンガーホールを形成した構成であるが・・・」（段落【０００６】）
　
（ウ）「・・・図１は本発明マルチパック用シートの第１の実施形態を示す平面図である。図において、符号１はシートの中央部に区画形成したほぼ矩形状の底板であり、この底板上に２列６個の飲料缶を整列させる。なお、この底板に、一例としてイチョウ型の小孔２が３箇所に形成されている。３，３は前記底板１を中心としてその左右に連設した側板であり、また各側板の下部すなわち底板との境界線をなす折り目に沿って、飲料缶を固定保持するための切込み穴４が形成されている。・・・
左右の頂板６，６は、前記のように底板１上に整列させた缶容器の上部でラップ（重合）させて使用するものである。このラップさせる各頂板のそれぞれには、相対応するラップ位置には手指を挿入しうる２個一対の押し込み舌片８，８を形成する。この押し込み舌片８，８は、ほぼ半円形をした切線９と当該切線の両端を結ぶ折り目１０とから形成されている。なお符号１１ａと１１ｂで示すものは雄ロック、１２は雌ロックであり、前記のように左右の頂板６，６を所定位置で重ね合わせた後、雄ロック１１ａと１１ｂを雌ロック１２に対して突き刺すことにより封緘するものである。」（段落【００１６】−【００１７】）
　
（エ）「図４は、本発明マルチパック用シートの第２の実施形態を示す平面図である。この実施の形態では、押し込み舌片８，８は、ほぼＶ型をした切線９と当該切線の両端を結ぶ折り目１０とから形成されている。なお符号１１ａで示すものは雄ロック、１２は雌ロックであり、また符号１５は差込式ロックであり、符号１６はその差し込み穴である。そのほか、同一部材などの同一の部分については同一符号で示した。」（段落【００２１】）
　
（オ）図４には、中央部に底板１を有し、その左右に側板３、３を介して頂板６、６を連設した全体として長方形のシートと成し、一方の頂板６の端部に差込式ロック１５が形成され、他方の頂板６にその差し込み穴１６がスリット状に形成され、頂板６、６のそれぞれに一対の押し込み舌片８、８が形成され、上記一方の頂板６の一対の押し込み舌片８、８とシートの両側縁との間に切り込み部で形成される雄ロック１１ａ、１１ａが、他方の頂板６の一対の押し込み舌片８、８とシートの両側縁との間に開口状の雌ロック１２、１２が形成されたマルチパック用シートの実施形態が示されている。
　
　以上の記載によると、引用例１には、
「マルチパック用シートにおいて、
　複数個の容器を並列にし得る底板１を中央部に有し、複数個の容器の上部でラップする頂板６、６を両端部に有しかつ前記底板１と各頂板６、６との間に側板３、３を有する全体として長方形のシートから成り、
　前記シートの一方の頂板６の端部には少なくとも１つの差込式ロック１５が形成され、
　他方の頂板６には前記差込式ロック１５を受けるスリット状の差し込み穴１６が形成され、
　前記差込式ロック１５が形成された前記一方の頂板６には一対の手指を挿入しうる押し込み舌片８、８が形成され、前記他方の頂板６にも一対の手指を挿入しうる押し込み舌片８、８が形成されており、
　前記一方の頂板６には、前記押し込み舌片８、８とシートの側縁との間に切り込み部で形成される雄ロック１１ａ、１１ａが形成され、他方の頂板６には、前記押し込み舌片８、８とシートの側縁との間に開口状の雌ロック１２、１２が形成されているマルチパック用シート。」の発明（以下、「引用発明」という。）が記載されていると認められる。
　
【引用例２について】
（カ）「１)  内板、左側板、底板、右側板、上板を折線を介して横一方向に順次連設し、内板には、中央附近に並設した切欠部により形成された吊手と、外側端に必要に応じて折線を介して連設された係止片とを設け、また上板には、外側端に折線を介して連設された先端に固定片を備えた固定板と、中央附近に内板に重合したとき吊手に重なる吊手と同構造の上吊手とを設け、また左側板には、中央附近に必要に応じて固定片を挿入させる差込孔を穿設し、また左・右側板、底板の何れかに切取部を設けると共に、底板、左・右側板、内板の何れか単独または組合せた所要箇所に包装容器を固定する係止装置を設けられた、１個または複数の包装容器を被覆保持することを特徴とする手提ケース。」（実用新案登録請求の範囲）
　
（キ）「本考案をその一実施例を示す第１図〜第４図に基づいて以下詳述する。展開図を示す第１図において、箱用板紙などからなる台紙を用いて、折線ａ、ｂ、ｃ、ｄを介して内板１、左側板２、底板３、右側板４、上板５を順次横一方向に連接し、内板１には、長さ方向の外側端に中央で所定間隙の２本の切り込み６を入れた係止片７を折線ｅを介して　連接し、さらに中央附近に幅方向で平行した長楕円形状の切欠部８を設けて形成された吊手９と、折線ａから適宜離して図面下方に切り込みを入れて形成された係止舌片１０とを備え、また左側板２には、長さ方向の中央より折線ａ側に寄って、幅方向で長方形状に穿設した差込孔１１を設け、また右側板４には、長さ方向の中央で幅方向の両端に亘って、平行した非連続の切り込みを入れて形成された切取部１２を設け、また上板５には、内板１に重合したとき切欠部８及び吊手９と同一位置になるよう、中央附近に設けられた切欠部８’及び上吊手９’を備え、さらに長さ方向の外側端に差込孔１１に挿入する固定片１３を先端に備えた固定板１４を折線ｆを介して連設した、所要幅の帯状部材からなる手提ケース１５である。」（第５頁９行−第６頁１０行）
　
（ク）「次に折線ｃ、ｄ、ｆに従って右側板４、上板５、固定板１４を夫々内側に折曲して、内板１の上面に上板５を重合させるとともに、固定片１３を左側板２の差込孔１１に挿入し上板５を左側板２に固定し（第２図−Ｃ）、２個の包装容器１８、１８’の収容を完了する。」（第７頁４−９行）
　
（ケ）第３図には、容器を被覆したとき先端に固定片１３を備えた固定板１４が左側板２に沿って差込孔１１に差し込まれている態様が示されている。
　
　以上の記載によると、引用例２には、
「複数の包装容器を被覆保持する手提ケースにおいて、
　内板１、左側板２、底板３、右側板４、上板５を折線を介して横一方向に順次連設し、
　内板１には中央附近に並設した切欠部８により形成された吊手９を設け、上板５には外側端に折線を介して連設された先端に固定片１３を備えた固定板１４と中央附近に内板１に重合したとき吊手９に重なる吊手９と同構造の上吊手９’とを設け、左側板２には固定片１３を挿入させる差込孔１１を穿設し、
　容器を被覆したとき先端に固定片１３を備えた固定板１４が左側板２に沿って差込孔１１に差し込まれている」事項が記載されている。
　
４．対比
　本願発明と引用発明とを対比すると、
　引用発明の「マルチパック用シート」、「底板１」、「頂板６」及び「側板３」は、それぞれ本願発明の「マルチパック用包装材」、「底パック部」、「上パック部」及び「側面パック部」に相当し、また、引用発明の「差込式ロック１５」、「差し込み穴１６」、「押し込み舌片８」、「雄ロック１１ａ」及び「雌ロック１２」は、それぞれ本願発明の「差込片」、「差込片を受ける切り込み部」、「把持用開口形成用の切り込み部」、「仮止めタブ」及び「仮止め開口」に相当することから、両者の一致点及び相違点は以下のとおりである。
　
［一致点］
「容器を複数個まとめて包装するマルチパック用包装材において、
　容器を包んだとき容器の底部を包む底パック部を中央部に有し、頂部を包む上パック部を両端部に有しかつ前記底パック部と各上パック部との間に容器の側部を包む側面パック部を有する全体として長方形のシート材から成り、
　前記シート材の一方の前記上パック部の端部には、少なくとも一つの差込片が形成され、
　前記シート材には前記差込片を受ける切り込み部を有し、
　前記差込片が形成された前記一方の上パック部には一対の把持用開口形成用の切り込み部が形成され、
　前記一方の上パック部には前記切り込み部と前記包装材の縁部との間に仮止めタブ形成用の仮止めタブ切り込み部が形成され、前記他方の上パック部には仮止め開口が形成されているマルチパック用包装材。」
　
［相違点１］本願発明では、差込片が所定幅を有し、差込片を受ける切り込み部は、差込片が形成された上パック部の他方の上パック部に隣接する側面パック部に形成され、差込片の先端部は、容器を包装した状態において前記側面パック部に沿って前記切り込み部に差し込まれ、また、前記上パック部と側面パック部との境界領域に、前記容器を位置決めする３つの位置決め開口が形成され、相互に隣接する前記位置決め開口の間に前記差込片が覆い被さると共に、前記位置決め開口の端部近傍に前記差込片の幅方向の両縁部が位置しているのに対し、引用発明では、差込式ロック１５を受ける差し込み穴１６は、差込式ロック１５が形成された頂板６の他方の頂板６に形成されており、したがって、その先端が側板３に沿うことはなく、また、前記頂板６と側板３との境界領域に、容器を位置決めする位置決め開口は形成されていない点。
　
［相違点２］本願発明では、一対の把持用開口形成用の切り込み部が形成された上パック部の他方の上パック部には把持用開口が形成されており、該把持用開口と縁部との間に仮止め開口が形成されるのに対し、引用発明では、手指を挿入しうる押し込み舌片８を形成した頂板６の他方の頂板６にも押し込み舌片８が形成され、したがって、他方の頂板において雌ロック１２は押し込み舌片８と縁部の間に形成されている点。
　
５．判断
　上記各相違点について検討すると、
［相違点１］について
　引用例２に記載された「底板３」、「上板５」、「内板１」、「右側板４」、「左側板２」、「先端に固定片１３を備えた固定板１４」、「差込孔１１」及び「複数の包装容器を被覆保持する手提ケース」は、それぞれ本願発明の「底パック部」、「一方の上パック部」、「他方の上パック部」、「一方の側面パック部」、「他方の側面パック部」、「差込片」、「差込片を受ける切り込み部」及び「容器を複数個まとめて包装するマルチパック用包装材」に相当し、また、引用例２に記載された「固定板１４」は、所定幅を有することから、
　引用例２には、容器を複数個まとめて包装するマルチパック用包装材において、一方の上パック部の端部には所定幅を有する少なくとも一つの差込片が形成され、他方の上パック部に隣接する側面パック部には前記差込片を受ける切り込み部が形成され、前記差込片の先端部は、前記容器を包装した状態において前記側面パック部に沿って前記切り込み部に差し込まれている事項が記載されている。
　そして、引用例２に記載された手提ケースも、引用発明と同様に上部に切欠部により持ち手を形成するようにしたマルチパックであることから、引用例２に記載された先端に固定片を備えた固定板と差込孔に係る事項を引用発明に適用して、差込式ロック１５を受ける差し込み穴１６を他方の側板３に形成するようにすることは、当業者が容易になし得る事項であり、また、そうした場合に、差込式ロック１５の先端が側板３に沿って差し込み穴１６に差し込まれることも、当業者が容易に推測しうる事項である。
　さらに、容器を複数個まとめて包装する包装体、いわゆるマルチパックにおいて、その上面と側面との境界領域に該複数個の容器の位置決めを行う開口を設けることは、本願出願前周知の技術（例えば、特開平１１−２７８４２６号公報、登録実用新案第３０４８９３６号公報、特開平８−１１３２６５号公報参照）であり、そして、該開口の個数を包装される容器の個数に対応したものとすることは当然の事項である。
　また、そのような開口が複数設けられたマルチパックに引用例２に記載された先端に固定片を備えた固定板と差込孔に係る事項を適用する場合に、前記固定板及び差込孔は、前記開口を避けて配置する必要があることは明らかであるので、相互に隣接する前記開口の間に前記固定板を配置することは、当業者が当然なす程度のことである（例えば、上記周知の技術として挙げた、特開平８−１１３２６５号公報の「挿入片３８」は、「端部挿入孔２４」の間に配置されている）。またそのような場合に、引用例２に記載された前記固定板の幅方向の両縁部が前記開口の端部近傍に位置するように、前記固定板の所定幅を設定することは、前記固定板の強度は幅が広いほど高くできることを考慮すれば、当業者が設計上適宜になす程度のことと認められる。
　よって、引用発明において、引用例２に記載された事項及び周知の技術を適用し、上記相違点１の本願発明のようになすことは、当業者が容易になし得たものである。
　
［相違点２］について
　容器を複数個まとめて包装するマルチパック用包装材で、容器を下から包んで頂部に封緘するいわゆるトップロック式のマルチパックにおいて、一方の頂板に把持用開口形成用の押し込み舌片を形成し、他方の頂板にその押し込み舌片と係合しうる打ち抜き穴を設けることは、引用例１に従来技術として開示されている（上記記載事項（イ）参照）ように本願出願前周知の技術であるので、引用発明の他方の頂板の手指を挿入しうる押し込み舌片８を打ち抜き穴、すなわち把持用開口とすることも、当業者が容易になし得る事項であり、その場合、雌ロック１２は、該把持用開口と縁部との間に形成されることになる。
　よって、引用発明において、上記周知の技術を参酌し、上記相違点２の本願発明のようになすことは、当業者が容易になし得たものである。
　
　なお、請求人は、平成２２年１０月２５日付け意見書において、「容器を包装した状態で把持用開口に指を入れて持ち上げた場合、上パック部には上方へのカが掛かります。一方、側面パック部には、底面パック部を介して容器の重量が掛かるため、下方への力が発生致します。当該上方へのカと下方へのカは、上パック部と側面パック部との境界領域に集中することとなります。この時、上パック部と側面パック部との境界領域には位置決め開口9aが形成されております。具体的には図1や図2-2(G)に示す略三ヶ月型の開口であります。このような形状の開口では、その両端部が鋭角の開口となっておりますので、この部分に応力が集中した場合には位置決め開口9aの両端部で包装材が裂けてしまうことも考えられます。しかしながら、本願発明では、差込片11の基部における幅方向の縁部がこの部分に覆いかぶさり、包装材が裂けてしまうのを有効に防止することができます。それと同時に、位置決め開口9a自体を覆うことはありませんので、容器が位置決め開口9aから露出するのを妨げることもありません。」と本願発明の技術的効果の主張をしているが、上記効果は出願当初の明細書に記載されているわけではなく、また、上記「略三ヶ月型の開口」及び「差込片11の基部における幅方向の縁部」が鋭角の開口の両端部に覆いかぶさることは、特許請求の範囲に記載された事項ではなく、上記主張は、特許請求の範囲の記載に基づかないものでもある。
　
６．むすび
　以上のとおり、本願発明は、引用発明及び引用例２に記載された発明に基づいて、当業者が容易に発明をすることができたものであり、特許法第２９条第２項の規定により特許を受けることができないものであるから、本願は、他の請求項に係る発明について検討するまでもなく、拒絶をすべきものである。
　よって、原査定は妥当であり、結論のとおり審決する。